(57)【特許請求の範囲】
【請求項１】
室内外を隔てる壁に形成された貫通穴に設置される換気扇であって、
正面及び背面が開口した箱状の風洞を有し、正面を室内側として前記風洞が前記貫通穴に室内側から室外側に向かって挿入されることにより、前記風洞の正面側に吸込口が形成される略筒状の本体と、
前記本体内に配された羽根車と、
前記吸込口から室内空気を吸込んで室外側へ導くように前記羽根車を駆動する電動機と、
電源線が接続され、前記電動機に電源を供給するように前記本体の室内側に前記吸込口に隣接して配された端子台と、
前記羽根車の回転軸と直交する面内で回動可能となるように、重心から外れた位置で軸部によって前記本体に枢支され、前記重心が位置するように前記軸部による枢支箇所の一方に延在する第１の部分を有し、前記端子台を室内側から覆うカバーと、
前記端子台を覆った状態で前記カバーを前記本体に固定する固定部材と、
を備え、
前記第１の部分は、前記固定部材による前記カバーの固定が解除されて、前記カバーが前記軸部を中心にして自重により回動した際に、前記吸込口の一部を塞ぐ位置へ配置される
ことを特徴とする換気扇。
【請求項２】
スリット状又は格子状の開口が形成された通気面と、該通気面の周囲から延在する側壁部とを有し、前記通気面が前記本体、前記端子台、及び前記カバーを室内側から覆うように前記本体に被せられるグリルをさらに備え、
前記カバーは、前記枢支箇所の他方に延在する第２の部分を有し、
前記第２の部分は、前記固定部材によって前記カバーが前記本体に固定された状態では前記グリルと干渉しない位置に配置され、前記グリルが外されて前記カバーが自重により回動した状態では、前記グリルを前記本体に被せる時に前記側壁部に干渉する位置に突出する
ことを特徴とする請求項１に記載の換気扇。
【請求項３】
室内外を隔てる壁に形成された貫通穴に設置される換気扇であって、
正面及び背面が開口した箱状の風洞を有し、正面を室内側として前記風洞が前記貫通穴に室内側から室外側に向かって挿入されることにより、前記風洞の正面側に吸込口が形成される略筒状の本体と、
前記本体内に配された羽根車と、
前記吸込口から室内空気を吸込んで室外側へ導くように前記羽根車を駆動する電動機と、
電源線が接続され、前記電動機に電源を供給するように前記本体の室内側に前記吸込口に隣接して配された端子台と、
前記羽根車の回転軸と直交する面内で回動可能となるように、重心から外れた位置で軸部によって前記本体に枢支され、前記重心が位置するように前記軸部による枢支箇所の一方に延在する第１の部分と、前記枢支箇所の他方に延在する第２の部分とを有し、前記端子台を室内側から覆うカバーと、
前記端子台を覆った状態で前記カバーを前記本体に固定する固定部材と、
スリット状又は格子状の開口が形成された通気面と、該通気面の周囲から延在する側壁部とを有し、前記通気面が前記本体、前記端子台、及び前記カバーを室内側から覆うように前記本体に被せられるグリルと、
を備え、
前記カバーは、前記固定部材による固定が解除された際に、前記軸部を中心にして自重により回動し、
前記第２の部分は、前記固定部材によって前記カバーが前記本体に固定された状態では前記グリルと干渉しない位置に配置され、前記グリルが外されて前記カバーが自重により回動した状態では、前記グリルを前記本体に被せる時に前記側壁部に干渉する位置に配置される
ことを特徴とする換気扇。
【請求項４】
前記端子台における室内側の面を覆う端子台カバーをさらに備えた
ことを特徴とする請求項１から３のいずれか１項に記載の換気扇。
【請求項５】
前記端子台カバーは、
閉じた状態で前記カバーが前記固定部材により固定されたときに前記カバーに接し、開いた状態で前記カバーが回動したときに前記カバーに干渉するように突出する第２の突出部を有する
ことを特徴とする請求項４に記載の換気扇。
【請求項６】
前記端子台カバーの色調と前記カバーの色調との差は、前記本体の色調と前記カバーの色調との差より大きい
ことを特徴とする請求項４又は５に記載の換気扇。
【発明の詳細な説明】
【技術分野】
【０００１】
本発明は、換気扇に関する。
【背景技術】
【０００２】
換気扇に電源供給する方法は、コンセントプラグを用いて商用電源から直接供給する方法や、電源線を端子台に接続し端子台から供給する方法がある。コンセントプラグは、別途コンセント設置工事が必要となるので、端子台の方が簡単な施工となる。一方で、端子台接続はコンセントプラグのように簡単に使用者が外すことはできない。
【０００３】
端子台における電源線が接続される部分は、埃付着防止のため、カバーで覆う構造が採用される。埃や水滴が付着すると、トラッキング現象等の発生原因となり、端子台における電源供給部の信頼性が低下する。また、端子台に接続される電源線の皮むき寸法が大きすぎて端子台における充電部が露出していると、更に信頼性は低下する。このため、端子台における充電部にカバーを設けたものも考えられている。
【０００４】
特許文献１及び２には、換気装置において、ファンケーシングの風路外のコーナー部に室内側が開口した保護枠を設け、保護枠の室内側の開口端を密閉する端子カバーを設けることが記載されている。これにより、特許文献1によれば、浴室等の高湿雰囲気から保護枠内を隔離することができ、保護枠内の電気部品を湿気から保護することができるとされている。
【０００５】
特許文献３には、換気扇において、吸込口を有し半径方向に広がるフランジを本体の前面に設け、電源接続端子を保護するための保護ケースをフランジの背面の凹部の一隅に収まるように設けることが記載されている。これにより、特許文献３によれば、電源線接続をして保護ケースを閉じたときに、保護ケースの開口部が塞がれるので、電源接続端子への塵埃の侵入を防ぐことができるとされている。
【０００６】
特許文献４には、浴室暖房換気乾燥装置において、天井裏に入れられる本体ケースの側面に端子台開口部を形成し、本体ケースにおける端子台開口部の内側に端子台が固定され、端子台に配線が接続されると蓋部が本体ケースにネジ止めされて固定されることが記載されている。これにより、特許文献４によれば、端子台開口部が切り欠き部を除いて塞がれるので、端子台に埃がたまることを防ぐことができるとされている。
【０００７】
特許文献５には、換気扇において、本体の前面部を構成するフランジ部の背面に収納部が画成され、速結端子や分圧用コンデンサ等の電気部品が収められたパッケージが収納部に着脱可能に嵌め装着され、パッケージの下部側の開放箇所がカバーで被覆されることが記載されている。これにより、特許文献５によれば、給気運転で霧や水滴の吸い込みによる水漏れが発生しても、電気部品を水から保護できるとされている。
【先行技術文献】
【特許文献】
【０００８】
【特許文献１】特開２００６−７８１２９号公報
【特許文献２】特開２００５−２８２８９５号公報
【特許文献３】特開２００６−２５０４３４号公報
【特許文献４】特開２００９−２１６２７２号公報
【特許文献５】特開２００５−８３５８７号公報
【発明の概要】
【発明が解決しようとする課題】
【０００９】
特許文献１〜５には、端子台を覆うカバーの閉じ忘れをどのようにして低減するのかについて記載がない。
【００１０】
特許文献１及び２に記載の換気装置では、端子カバーがヒンジによって室内側へ開くように構成されている。この換気装置では、端子カバーが半開きの状態で室内側から化粧グリルが嵌めこまれた場合に、端子カバーが半開きの状態であることがユーザ（施工者、使用者）に認識されにくい。端子カバーが半開きの状態のままであると、保護枠内の電気部品に埃や水滴が付着し易くなる。
【００１１】
特許文献３に記載の換気扇では、保護ケースが、フランジの背面側において倒伏及び起立できるように構成されている。この換気扇では、保護ケースが起立状態のまま、すなわち保護ケースの開口部が開放されたまま、換気扇が室内側から壁や天井に設置された場合、保護ケースの開口部が開放されたままであることがユーザ（施工者、使用者）に認識されにくい。保護ケースの開口部が開放されたままであると、保護ケース内の電源接続端子に埃や水滴が付着し易くなる。
【００１２】
特許文献４に記載の浴室暖房換気乾燥装置では、設置された状態において、蓋部が天井裏に位置する構造となっており、この浴室暖房換気乾燥装置では、蓋部が本体ケースにネジ止めされないまま、すなわち端子台開口部が開放されたまま、浴室暖房換気乾燥装置が天井に設置された場合、端子台開口部が開放されたままであることがユーザ（施工者、使用者）に認識されにくい。端子台開口部が開放されたままであると、端子台内の電線接続口等に埃や水滴が付着し易くなる。
【００１３】
特許文献５に記載の換気扇では、カバーが、フランジ部の背面側に位置する構造となっている。この換気扇では、カバーによる被覆がされないまま、すなわちパッケージの下部側の開放箇所が開放されたまま、換気扇が室内側から壁に設置された場合、パッケージの下部側の開放箇所が開放されたままであることがユーザ（施工者、使用者）に認識されにくい。パッケージの下部側の開放箇所が開放されたままであると、パッケージ内の速結端子等に埃や水滴が付着し易くなる。
【００１４】
本発明は、上記に鑑みてなされたものであって、端子台を覆うカバーの閉じ忘れを低減できる換気扇を得ることを目的とする。
【課題を解決するための手段】
【００１５】
上述した課題を解決し、目的を達成するために、本発明の１つの側面にかかる換気扇は、室内側から室外側に貫通した略筒状の本体と、前記本体内に配された羽根車と、室内空気を吸込み室外側へ導くように前記羽根車を駆動する電動機と、電源線が接続され、前記電動機に電源を供給するように前記本体の室内側に配された端子台と、前記端子台を室内側から覆うカバーと、前記カバーの重心から外れた位置で前記カバーを室内側から前記本体に枢支する軸部と、前記カバーを前記本体に固定する固定部材とを備え、前記カバーは、前記固定部材による固定が解除された際に、前記軸部を中心にして自重により前記本体の室内側開口の一部を塞ぐ位置へ回動することを特徴とする。
【発明の効果】
【００１６】
本発明によれば、ユーザ（施工者、使用者）は、換気機能に関わる本体の室内側開口の一部を塞いでいる異常な状態を視覚的に容易に認識できる。これにより、端子台を覆うカバーの閉じ忘れを低減できる。
【図面の簡単な説明】
【００１７】
【図１】図１は、実施の形態にかかる換気扇の構成を示す図である。
【図２】図２は、実施の形態にかかる換気扇の構成を示す図である。
【図３】図３は、外側カバー及び端子台カバーの構成を示す図である。
【図４】図４は、外側カバー及び端子台カバーの動作を示す図である。
【図５】図５は、外側カバー及び端子台カバーの動作を示す図である。
【図６】図６は、外側カバー及び端子台カバーの動作を示す図である。
【図７】図７は、外側カバー及び端子台カバーの動作を示す図である。
【図８】図８は、外側カバー及び端子台カバーの動作を示す図である。
【発明を実施するための形態】
【００１８】
以下に、本発明にかかる換気扇の実施の形態を図面に基づいて詳細に説明する。なお、この実施の形態によりこの発明が限定されるものではない。
【００１９】
実施の形態．
実施の形態にかかる換気扇１００について図１〜図３を用いて説明する。図１は、実施の形態にかかる換気扇１００において端子台カバー及び外側カバーが閉じた状態を示す斜視図である。図２は、実施の形態にかかる換気扇１００をその中心軸を通り側面に平行な方向に切った断面図である。図３は、外側カバー及び端子台カバーの閉じた状態における構成を示す図である。
【００２０】
換気扇１００は、風洞（本体）３、羽根車２、電動機１、オリフィス（本体）５、フランジ部（本体）８、グリル９、及び電源供給部３０を備える。以下では、換気扇１００における室内側（図１、３中の手前側、図２中の左側）の面を正面と呼び、換気扇１００における室外側（図１、３中の奥側、図２中の右側）の面を背面と呼ぶことにする。
【００２１】
風洞３は、室内側から室外側への風路を形成すべく、室内側から室外側に貫通している。風洞３は、例えば、正面及び背面を開口した中空の箱形で形成されている。風洞３は、例えば住宅の壁面６に設けられ、壁面６に埋め込まれた木枠４などに取付けられる。
【００２２】
羽根車２は、風洞３内の室内側に配されている。羽根車２は、例えば、プロペラ式の羽根車（プロペラファン）であり、室内空気を吸込み室外側へ導く方向に回転するように駆動される。
【００２３】
電動機１は、風洞３内における羽根車２の室外側に配されている。電動機１は、室内空気を吸込み室外側へ導くように羽根車２を駆動する。電動機１の外周には、ネジ固定穴（図示せず）が設けられている。
【００２４】
オリフィス５は、羽根車２が室内空気を吸い込むための吸込口５ａを形成する。オリフィス５は、羽根車２の室内側かつ外側から羽根車２の回転時における外周面に近づくとともに、羽根車２の回転時における外周面に沿って延びている。これにより、オリフィス５は、羽根車２により室内空気が効率的に吸い込まれるようにしている。
【００２５】
フランジ部８は、風洞３の室内側の端部に形成されている。フランジ部８には、壁面６に設けられた木枠４に木ネジ（図示せず）で固定するためのネジ固定穴７が設けられている。なお、風洞３、オリフィス５、及びフランジ部８は、略筒状の本体を構成している。
【００２６】
グリル９は、フランジ部８の外周から室内側へ延び、羽根車２及びオリフィス５を室内側から覆うように延びている。グリル９には、格子状又はスリット状の開口が形成されている。グリル９は、例えば、フランジ部８の外端に着脱可能に装着されており、風洞３内の電動機１や羽根車２の清掃などメンテナンスが可能となっている。
【００２７】
電源供給部３０は、外部（例えば、室内側）から電源を受けて、受けた電源をさらに電動機１へ供給する。
【００２８】
上記構成において、換気扇１００を運転すると、電源供給部３０から電動機１へ電源が供給されて羽根車２が回転し、室内の空気は、グリル９を経由し、オリフィス５と羽根車２と電動機１を通過し、屋外へ排気される。
【００２９】
次に、電源供給部３０の構成及び動作について、図３〜５を用いて説明する。図３（ａ）は、外側カバー及び端子台カバーが閉じた状態における電源供給部３０の構成を示す正面図である。図３（ｂ）は、図３（ａ）のＡ−Ａ線で切った場合の断面図である。図４（ａ）は、外側カバー及び端子台カバーが開いた状態を示す正面図である。図４（ｂ）は、図４（ａ）のＢ−Ｂ線で切った場合の断面図である。図５は、外側カバー及び端子台カバーが開いた状態を示す斜視図である。図６（ａ）は、外側カバーが開き端子台カバーが閉じた状態を示す正面図である。図６（ｂ）は、図６（ａ）のＣ−Ｃ線で切った場合の断面図である。図７は、外側カバーが開き端子台カバーが閉じた状態を示す正面図である。図８（ａ）は、外側カバーが開き端子台カバーが少しだけ開いた状態を示す正面図である。図８（ｂ）は、図８（ａ）のＤ−Ｄ線で切った場合の断面図である。
【００３０】
電源供給部３０は、端子台１０、端子台カバー１１、軸１２、軸受部１３、リブ１５、外側カバー１６、特殊ブッシュ（軸部）２１、及び固定ネジ（固定部材）２３を有している。
【００３１】
端子台１０には、外部（例えば、室内側）から電源線（図示せず）が接続される。端子台１０は、電源線を介して受けた電源を電動機１に供給するように、本体（風洞３、オリフィス５、及びフランジ部８）の室内側に配されている。端子台１０は、端子台カバー１１で覆われている。
【００３２】
端子台カバー１１は、端子台１０における室内側の面１０ａを覆うとともに、端子台１０における室外側の面１０ｂの主要部も覆っている。これにより、端子台カバー１１は、端子台１０を塵・埃や水滴から保護している。なお、端子台カバー１１は、端子台１０の側面の少なくとも一部（例えば、端子台１０の側面における室内側の部分）をさらに覆っても良い。これにより、端子台１０を塵・埃や水滴からさらに確実に保護できる。
【００３３】
軸１２は、端子台カバー１１に固定されているとともに、フランジ部８の正面に沿った方向において端子台カバー１１を貫通している。軸１２における両端１２ａ、１２ｂは、それぞれ端子台カバー１１の側面から突出している。
【００３４】
軸受部１３は、フランジ部８とオリフィス５に設けられている。軸受部１３は、軸１２の両端１２ａ、１２ｂにおける少なくとも一方を回動可能に保持固定する。
【００３５】
端子台カバー１１、軸１２、及び軸受部１３は、図４及び図５に示すように、端子台カバー１１が軸１２を中心に正面側（室内側）へ飛び出すように回動することで端子台カバー１１が開いた状態となるポップアップ構造を構成している。端子台カバー１１が開いた状態になると、端子台カバー１１の開放箇所１１ａを介して端子台１０へ電源線を接続することが可能となる。
【００３６】
一方、端子台カバー１１は、軸１２を中心に背面側（室外側）へ押し戻されるように回動することで、図４（ａ）、（ｂ）、図５及び図６（ａ）、（ｂ）に示すようにフランジ部８と一体成形された爪部１４が掛かり閉じ固定される。このとき、端子台カバー１１の開放箇所１１ａに嵌合する閉止部１１ｂがフランジ部８及びオリフィス５上にフランジ部８及びオリフィス５と一体で形成されている。閉止部１１ｂは、端子台カバー１１とともに閉空間１９を形成し、端子台１０及び端子台カバー１１を丸ごと閉空間１９内に収納してカバーしている。
【００３７】
爪部１４は、力を加えることで、全体がたわみ、容易に端子台カバー１１が掛かった状態から端子台カバー１１が外れた状態になる。このようにして、図４〜６に示すように端子台カバー１１を開閉させることができる。
【００３８】
リブ１５は、図１及び図３（ｂ）に示すように、端子台カバー１１を周囲から囲うように、フランジ部８及びオリフィス５と一体形成されている。リブ１５で囲った空間、すなわちリブ１５、オリフィス５、及びフランジ部８により形成された凹部に、端子台１０及び端子台カバー１１が収納される。
【００３９】
外側カバー１６は、図１及び図３（ａ）、（ｂ）に示すように、リブ１５、オリフィス５、及びフランジ部８により形成された凹部の室内側に開いた開口部を塞ぐように設けられている。外側カバー１６は、リブ１５及びフランジ部８とともに閉空間１７を形成し、端子台１０及び端子台カバー１１を丸ごと閉空間１７内に収納してカバーしている。すなわち、外側カバー１６は、室内側から端子台１０及び端子台カバー１１を覆っている。また、外側カバー１６には、重心から外れた位置に穴（図示せず）が設けられており、また他の穴２２が設けられている（図５参照）。
【００４０】
特殊ブッシュ２１は、外側カバー１６における重心から外れた位置に設けられた穴と、オリフィス５に一体形成された穴（図示せず）とに挿通され、外側カバー１６が回動可能なように外側カバー１６をオリフィス５に保持固定している。すなわち、特殊ブッシュ２１は、外側カバー１６の重心から外れた位置で外側カバー１６を室内側からオリフィス（本体）５に枢支している。
【００４１】
固定ネジ２３は、外側カバー１６における特殊ブッシュ２１用の穴以外の穴２２と、フランジ部８に一体形成された穴２５とに挿通され、閉空間１７を閉じるように外側カバー１６をフランジ部（本体）８に固定している。
【００４２】
この固定ネジ２３を外すと、図７に示すように、外側カバー１６は、特殊ブッシュ２１を中心にして自重により回動して自動的に開く。そして、外側カバー１６は、特殊ブッシュ２１にぶら下がった状態で、羽根車２が室内空気を吸い込むための吸込口５ａの一部を塞ぐ。すなわち、外側カバー１６は、固定ネジ２３による固定が解除された際に、特殊ブッシュ２１を中心にして自重によりオリフィス（本体）５の吸込口（室内側開口）５ａの一部を塞ぐ位置へ回動する。
【００４３】
また、外側カバー１６は、図５及び図７に示すように、グリル９が外された状態で外側カバー１６が吸込口５ａの一部を塞ぐ位置へ回動したときに、グリル９に干渉する位置へ突出する突起部（突出部）２４を有する。突起部２４は、例えば、外側カバー１６と一体で形成されている。すなわち、突起部２４は、外側カバー１６が固定ネジ２３により固定され閉じた状態で、グリル９に干渉せず、外側カバー１６が固定ネジ２３による固定解除され開いた状態（吸込口５ａの一部を塞ぐ位置へ回動した状態）で、グリル９に干渉する。外側カバー１６が開いた状態で、グリル９を取付けようとした場合に突起部２４と干渉する。
【００４４】
また、端子台カバー１１は、図３（ｂ）に示すように、端子台カバー１１と外側カバー１６とを閉じた状態で、端子台カバー１１と外側カバー１６との最少距離をほぼ零にする高さのリブ（第２の突出部）１８を有している。リブ１８は、端子台カバー１１と一体で形成されている。図８（ｂ）に示すように、端子台カバー１１が閉じていないと、端子台カバー１１に設けたリブ１８に外側カバー１６が干渉する。すなわち、リブ１８は、端子台カバー１１が閉じた状態で外側カバー１６が固定ネジ２３により固定されたときに外側カバー１６に接し、端子台カバー１１が開いた状態で外側カバー１６が回動したときに外側カバー１６に干渉するように突出する。
【００４５】
換気扇１００が運転している状態では、外側カバー１６の周辺は風路となり、埃や湿気にさらされた状態となる。図３に示すように、端子台１０は、外側カバー１６内の閉空間１７と端子台カバー１１内の閉空間１９とで保護されている。このようにカバーで覆われた空間の風速は外側の風速よりも低くなるので、閉空間１９内の風速が非常に低くなり、埃が浸入し難くなる。このようにして端子台１０への埃の付着を低減し、信頼性を向上させている。
【００４６】
端子台１０への電源線の接続作業は、次の手順で行う。外側カバー１６の固定ネジ２３を外し、外側カバー１６が自重により開いた後、フランジ部８の貫通穴２０から電源線を引きこむ。端子台カバー１１を開き、その状態で電源線を端子台１０に接続する。そして、逆の手順で端子台カバー１１と外側カバー１６とを閉じて、外側カバー１６を固定ネジ２３で固定する。そして、本体（風洞３、オリフィス５、及びフランジ部８）、端子台１０、端子台カバー１１、及び外側カバー１６を室内側から覆うように、グリル９が嵌められる。
【００４７】
以上のように、実施の形態では、外側カバー１６は、固定ネジ２３による固定が解除された際に、特殊ブッシュ２１を中心にして自重によりオリフィス（本体）５の吸込口（室内側開口）５ａの一部を塞ぐ位置へ回動する。これにより、固定ネジ２３を取付け忘れた場合、施工者は、図７に示すように、外側カバー１６が開いてぶら下がった状態で、換気機能に関わる吸込口５ａの一部を塞いでいる異常な状態を視覚的に容易に認識できる。このため、外側カバー１６の閉じ忘れを低減できる。また、上記内容は使用者でも異常な状態を認識できるので、外側カバー１６の閉じ忘れを二重で低減できる。すなわち、室内側から端子台１０を覆う外側カバー１６の閉じ忘れを低減できる。
【００４８】
また、外側カバー１６は、図５及び図７に示すように、グリル９が外された状態で外側カバー１６が吸込口５ａの一部を塞ぐ位置へ回動したときに、グリル９に干渉する位置へ突出する突起部（突出部）２４を有する。これにより、固定ネジ２３を取付け忘れた場合、図７に示すように、外側カバー１６が開いてぶら下がった状態で、フランジ部８の正面から見た場合に、突起部２４がフランジ部８から突出した状態となる。この状態で、グリル９を取付けようとした場合に突起部２４と干渉するので、ユーザ（施工者、使用者）が異常状態を容易に認識でき、外側カバー１６の閉じ忘れを低減できる。このように、グリル９を取付ける段階においても外側カバー１６の閉じ忘れを低減できる。
【００４９】
また、端子台カバー１１は、端子台カバー１１が閉じた状態で外側カバー１６が固定ネジ２３により固定されたときに外側カバー１６に接し、端子台カバー１１が開いた状態で外側カバー１６が回動したときに外側カバー１６に干渉するように突出するリブ（第２の突出部）１８を有する。これにより、端子台カバー１１が少しでも閉じていないと、（端子台カバー１１が不完全に閉じている場合でも、）端子台カバー１１に設けたリブ１８に外側カバー１６が干渉し、外側カバー１６が閉じることが出来ない。この結果、端子台１０の室内側の面１０ａを覆う端子台カバー１１の閉じ忘れを低減できる。
【００５０】
また、端子台カバー１１の爪部１４の掛かりを外しても、端子台カバー１１は、軸１２を介して軸受部１３により保持固定されて取り外されないように構成されている。これにより、端子台カバー１１を紛失することも低減できる。
【００５１】
なお、端子台カバー１１の色調と外側カバー１６の色調との差は、本体（風洞３、オリフィス５、及びフランジ部８）の色調と外側カバー１６の色調との差より大きくなっていてもよい。例えば、外側カバー１６とフランジ部８とオリフィス５とを黒色で、端子台カバー１１を白色にすれば、外側カバー１６が開いた状態では、露出した端子台カバー１１の白色が視覚的に目立つので、異常な状態を効果的に認識し易くなる。これにより、外側カバー１６の閉じ忘れを低減できる。色調の組合せは、端子台カバー１１が他に比べて視覚的に目立てば良く、黒色と白色以外の組合せでも差し支えない。例えば、黒色と黄色、白色と赤色でも同様の効果がある。
【産業上の利用可能性】
【００５２】
以上のように、本発明にかかる換気扇は、電源線を接続する端子台を有する換気扇に有用である。
【符号の説明】
【００５３】
１  電動機
２  羽根車
３  風洞
４  木枠
５  オリフィス
５ａ  吸込口
６  壁面
７  穴
８  フランジ部
９  グリル
１０  端子台
１１  端子台カバー
１２  軸
１３  軸受部
１４  爪部
１５  リブ
１６  外側カバー
１７  閉空間
１８  リブ
１９  閉空間
２０  貫通穴
２１  特殊ブッシュ
２２  穴
２３  ネジ
２４  突起部
２５  穴
３０  電源供給部
１００  換気扇
【図１】
0005484269.tif 000002
【図２】
0005484269.tif 000003
【図３】
0005484269.tif 000004
【図４】
0005484269.tif 000005
【図５】
0005484269.tif 000006
【図６】
0005484269.tif 000007
【図７】
0005484269.tif 000008
【図８】
0005484269.tif 000009